(57)【要約】【解決手段】  身体部位測定のための着色表示線を有するニット製タイトフィット衣服の製造方法を開示する。本方法は、以下のステップを含む。成人女性または男性の国家衣服規格ＧＢ／Ｔ２２８４９−２００９、ＧＢ／Ｔ２２８５３−２００９におけるＡ、Ｂ、ＣまたはＹの体型分類規格寸法表を参照し、経編技術を用いて、４つの異なる身体寸法のタイトフィット衣服を編む工程を含み、各タイトフィット衣服は、シャツおよびズボンから構成され、成人男性または女性用のタイトフィット衣服を製造する際には、Ａ、Ｂ、ＣまたはＹの体型寸法に応じて、タイトフィット衣服の衣服片、すなわちシャツ身頃およびズボン身頃に、測定されるべき身体の長さ、手足の形状、関節部分が、さまざまな着色表示線の形態で、配置および挿入され、体型に適合する身体部位測定のための着色表示線を備えたニット製タイトフィット衣服を身体に着用すると、タイトフィット衣服の着色表示線が自動的に、身体の部分および構造の３次元ブロックを示す。【効果】衣服の身体部位の測定を迅速かつ効果的に案内することができ、それにより、身体測定作業が迅速、効果的、便利に行われ、かつ時間が節約される。【選択図】図１
2019535919.tif 000002
【特許請求の範囲】
【請求項１】
身体部位測定のための着色表示線を有するニット製タイトフィット衣服の製造方法であって、
成人女性または男性の国家衣服規格ＧＢ／Ｔ２２８４９−２００９、ＧＢ／Ｔ２２８５３−２００９におけるＡ、Ｂ、ＣまたはＹの体型分類規格寸法表を参照し、経編技術を用いて、４つの異なる身体寸法のタイトフィット衣服を編む工程を含み、各タイトフィット衣服は、シャツおよびズボンから構成され、成人男性または女性用のタイトフィット衣服を製造する際には、Ａ、Ｂ、ＣまたはＹの体型寸法に応じて、タイトフィット衣服の衣服片、すなわちシャツ身頃およびズボン身頃に、測定されるべき身体の長さ、手足の形状、関節部分が、さまざまな着色表示線の形態で配置および挿入され、体型に適合する身体部位測定のための着色表示線を備えたニット製タイトフィット衣服を身体に着用すると、前記タイトフィット衣服の着色表示線が自動的に、身体の部分および構造の３次元ブロックを示すことにより、衣服の身体部位測定を迅速かつ効果的に案内する
ことを特徴とする、ニット製タイトフィット衣服の製造方法。
【請求項２】
前記成人女性または男性の前記シャツ身頃の着色表示線は、襟曲線、肩幅線、袖付曲線、丈線、前幅線、前中心線、胸囲線、胴囲線、腰囲線、前側脇線、後幅線、後中心線、背幅線、後側脇線、袖丈線、袖幅線、袖肘線、袖口線、袖前側脇線および袖後側脇線に設けられる、請求項１に記載の身体部位測定のための着色表示線を有するニット製タイトフィット衣服の製造方法。
【請求項３】
前記成人女性または男性の前記ズボン身頃の着色表示線は、ズボン丈線、ズボン腰囲線、股上線、大腿線、ズボンの前身頃中心線、膝関節線、足首線、ズボンの前身頃脇線、ズボンの後身頃中心線およびズボンの後身頃脇線に設けられる、請求項１に記載の身体部位測定のための着色表示線を有するニット製タイトフィット衣服の製造方法
【発明の詳細な説明】
【技術分野】
【０００１】
本発明は、衣類製造用の補助製品に関し、より詳細には、身体部位測定のための着色表示線を有するニット製タイトフィット衣服の製造方法に関する。
【背景技術】
【０００２】
衣服のデザインには、人の身体の測定が極めて重要に関連する。身体部位の測定の基準は、最終的な衣服の効果と快適さに直接影響する。現在、人の身体の測定の大部分は、関係者の経験と概算に依存しており、身体部位の測定のために特別に使用される衣服の製造のための補助的なツールは存在しない。衣服のデザインを容易にし、人の身体の測定の正確さおよび効率を改善するべく、本発明は上記問題を解決するために提供される。
【発明の概要】
【発明が解決しようとする課題】
【０００３】
既存の問題を解決するために、本発明は、高い実用性と操作性を有する、身体部位測定のための着色表示線を有するニット製タイトフィット衣服の製造方法を提供する。
【課題を解決するための手段】
【０００４】
本発明がその技術的課題を解決するために採用した技術的解決策は以下の通りである。
【０００５】
身体部位測定のための着色表示線を有するニット製タイトフィット衣服の製造方法を開示する。本方法は、以下のステップを含む。成人女性または男性の国家衣服規格ＧＢ／Ｔ２２８４９−２００９、ＧＢ／Ｔ２２８５３−２００９におけるＡ、Ｂ、ＣまたはＹの体型分類規格寸法表を参照し、経編技術を用いて、４つの異なる身体寸法のタイトフィット衣服を編む工程を含み、各タイトフィット衣服は、シャツおよびズボンから構成され、成人男性または女性用のタイトフィット衣服を製造する際には、Ａ、Ｂ、ＣまたはＹの体型寸法に応じて、タイトフィット衣服の衣服片、すなわちシャツ身頃およびズボン身頃に、測定されるべき身体の長さ、手足の形状、関節部分が、さまざまな着色表示線の形態で配置および挿入され、体型に適合する身体部位測定のための着色表示線を有するニット製タイトフィット衣服を身体に着用すると、タイトフィット衣服の着色表示線が自動的に、身体の部分および構造の立体ブロックを示すことにより、衣服の身体部位測定を迅速かつ効果的に案内する。
【０００６】
成人女性または男性のシャツ身頃の着色表示線は、襟曲線、肩幅線、袖付曲線、丈線、前幅線、前中心線、胸囲線、胴囲線、腰囲線、前側脇線、後幅線、後中心線、背幅線、後側脇線、袖丈線、袖幅線、袖肘線、袖口線、袖前側脇線および袖後側脇線に設けられる。
【０００７】
成人女性または男性のズボン身頃の着色表示線は、ズボン丈線、ズボン腰囲線、股上線、太腿線、ズボンの前身頃中心線、膝関節線、足首線、ズボンの前身頃脇線、ズボンの後身頃中心線、およびズボンの後身頃脇線に設けられる。
【０００８】
身体型状に適合する身体部位測定のための着色表示線を有するニット製タイトフィット衣服を身体に着用させると、タイトフィット衣服の着色表示線が自動的に、身体の部分および構造の立体ブロックを示すことにより、衣服の身体部位測定が迅速かつ効果的に案内されるので、ファッションデザイナーが直接行う身体部位測定のランダムさおよび不確実性を回避することができる。したがって、身体部位の測定の正確さおよび効率を改善するのに有益であり、また、測定が科学的かつ直感的に行われる。
【発明の効果】
【０００９】
本発明の効果としては、衣服をデザインする際に、身体測定作業が、迅速、効果的、便利に行われ、かつ時間を節約することができる。
【図面の簡単な説明】
【００１０】
【図１】成人女性のシャツ用の身体部位測定のための着色表示線を有するニット製タイトフィット衣類の構造図である。
【図２】成人女性のシャツ用の身体部位測定のための着色表示線を有するニット製タイトフィット衣類の構造図である。
【図３】成人女性のズボン用の身体部位測定のための着色表示線を有するニット製タイトフィット衣類の構造図である。
【図４】成人女性のズボン用の身体部位測定のための着色表示線を有するニット製タイトフィット衣類の構造図である。
【図５】成人男性のシャツ用の身体部位測定のための着色表示線を有するニット製タイトフィット衣類の構造図である。
【図６】成人男性のシャツ用の身体部位測定のための着色表示線を有するニット製タイトフィット衣類の構造図である。
【図７】成人男性のズボン用の身体部位測定のための着色表示線を有するニット製タイトフィット衣類の構造図である。
【図８】成人男性のズボン用の身体部位測定のための着色表示線を有するニット製タイトフィット衣類の構造図である。
【発明を実施するための形態】
【００１１】
図面を参照して、本発明を更に説明する。
【００１２】
図１、図２、図３、図４に示すように、身体部位測定のための着色表示線を有するニット製タイトフィット衣類を製造する方法であって、本方法は、以下の工程を含む。成人女性の国家衣服規格ＧＢ／Ｔ２２８４９−２００９、ＧＢ／Ｔ２２８５３−２００９におけるＡ、Ｂ、ＣまたはＹの体型分類規格寸法表を参照し、経編技術を用いて、４つの異なる身体寸法のタイトフィット衣服を編む工程。各タイトフィット衣服は、シャツおよびズボンから構成される。成人男性または女性のタイトフィット衣服を製造する際には、Ａ、Ｂ、ＣまたはＹの体型寸法に応じて、タイトフィット衣服の衣服片、すなわちシャツ身頃およびズボン身頃に、測定されるべき身体の長さ、手足の形状、関節部分が、さまざまな着色表示線の形態で配置および挿入される。成人女性のシャツ身頃の着色表示線は、襟曲線１、肩幅線２、袖付曲線３、丈線４、前幅線５、前中心線６、胸囲線７、胴囲線８、腰囲線９、前側脇線１０、後幅線１１、後中心線１２、背幅線１３、後側脇線１４、袖丈線１５、袖幅線１６、袖肘線１７、袖口線１８、袖前側脇線１９および袖後側脇線２０に設けられる。襟曲線は、前側襟線及び後側襟線を含む。成人女性のズボン身頃の着色表示線は、ズボン丈線２１、ズボン腰囲線２２、股上線２３、大腿線２４、ズボンの前身頃中心線２５、膝関節線２６、足首線２７、ズボンの前身頃脇線２８、ズボンの後身頃中心線２９およびズボンの後身頃脇線３０に設けられる。体型に適合する身体部位測定のための着色表示線を有するニット製タイトフィット衣服を身体に着用すると、タイトフィット衣服の着色表示線が自動的に、身体の部分および構造の立体ブロックを示すことにより、衣服の身体部位測定が迅速かつ効果的に案内される。
【００１３】
図５、図６、図７、図８に示すように、身体部位測定のための着色表示線を有するニット製タイトフィット衣類を製造する方法であって、本方法は、以下の工程を含む。成人男性の国家衣服規格ＧＢ／Ｔ２２８４９−２００９、ＧＢ／Ｔ２２８５３−２００９におけるＡ、Ｂ、ＣまたはＹの体型分類規格寸法表を参照し、経編技術を用いて、４つの異なる身体寸法のタイトフィット衣服を編む工程。各タイトフィット衣服は、シャツおよびズボンから構成される。成人男性のタイトフィット衣服を製造する際には、Ａ、Ｂ、ＣまたはＹの体型寸法に応じて、タイトフィット衣服の衣服片、すなわちシャツ身頃およびズボン身頃に、測定されるべき身体の長さ、手足の形状、関節部分が、さまざまな着色表示線の形態で配置および挿入される。成人男性のシャツ身頃の着色表示線は、襟曲線１、肩幅線２、袖付曲線３、丈線４、前幅線５、前中心線６、胸囲線７、胴囲線８、腰囲線９、前側脇線１０、後幅線１１、後中心線１２、背幅線１３、後側脇線１４、袖丈線１５、袖幅線１６、袖肘線１７、袖口線１８、袖前側脇線１９および袖後側脇線２０に設けられる。襟曲線は、前側襟線及び後側襟線を含む。成人男性のズボン身頃の着色表示線は、ズボン丈線２１、ズボン腰囲線２２、股上線２３、大腿線２４、ズボンの前身頃中心線２５、膝関節線２６、足首線２７、ズボンの前身頃脇線２８、ズボンの後身頃中心線２９およびズボンの後身頃脇線３０に設けられる。体型に適合する身体部位測定のための着色表示線を有するニット製タイトフィット衣服を身体に着用すると、タイトフィット衣服の着色表示線が自動的に、身体の部分および構造の立体ブロックを示すことにより、衣服の身体部位測定が迅速かつ効果的に案内される。
【００１４】
身体型状に適合する身体部位測定のための着色表示線を有するニット製タイトフィット衣服を身体に着用させると、タイトフィット衣服の着色表示線が自動的に、身体の部分および構造の立体ブロックを示すことにより、衣服の身体部位測定が迅速かつ効果的に案内されるので、ファッションデザイナーが直接行う身体部位測定のランダムさおよび不確実性を回避することができる。
【図１】
2019535919.tif 000003
【図２】
2019535919.tif 000004
【図３】
2019535919.tif 000005
【図４】
2019535919.tif 000006
【図５】
2019535919.tif 000007
【図６】
2019535919.tif 000008
【図７】
2019535919.tif 000009
【図８】
2019535919.tif 000010
【国際調査報告】
2019535919.tif 000011
2019535919.tif 000012
2019535919.tif 000013
2019535919.tif 000014